(57)【要約】【課題】偽造された前扉キーや不正器具により前扉が不正に開放されるのを防止する。【解決手段】ＣＰＵ９０１、記憶部９０３、指紋センサ９０、登録開始釦９１、登録釦９２及びリセット釦９３は、人間の生体的な特徴を使って作業者個人を認識する生体認識手段となっている。ソレノイド駆動回路９０２及びソレノイド９５は、前記生体認識手段の認識結果に対応してスロットマシンの前扉の施錠及び解錠を行う読ロック機構部と前扉用シリンダ錠ロータとの間の断続を行うので、偽造された前扉キーや不正器具により前扉が不正に開放されるのを防止できる。【選択図】図１６
2008142127.tif 000002
【特許請求の範囲】
【請求項１】
前方に開口を有する筐体と、
前記筐体に対して回動可能に取り付けられることで前記開口を開閉可能な状態で閉塞させる前扉と、
所定の第１の遊技操作を契機に乱数値を取得し、取得した当該乱数値に基づいて入賞役を抽選する抽選手段と、
前記抽選手段が抽選した入賞役及び所定の第２の遊技操作に基づいて、遊技媒体を前記前扉の内側から外側に向けて払い出す遊技媒体払い出し手段とを備えた遊技機であって、
前記前扉に設けられ、筒状に形成された前扉用シリンダ錠本体と、
前扉キーと嵌合する前扉キー嵌合部を有し、前記前扉用シリンダ錠本体の筒内に挿入され、当該筒内で係止固定状態及び回転可能な状態の何れか一方の状態にあり、前記前扉キー嵌合部が前記前扉キーと嵌合することで前記筒内での係止固定状態を解除する前扉用シリンダ錠ロータと、
前記前扉の内側で前記前扉用シリンダ錠ロータと機械的に断続可能に配設され、前記前扉用シリンダ錠ロータと接続した状態で前記前扉用シリンダ錠ロータと連動して回動する従動軸と、
前記従動軸に固定して取り付けられたカム板と、
前記前扉を前記筐体に固定するとともに前記カム板の回動に連動して当該固定の解除を行う前扉ロック機構部と、
人間の生体的な特徴を使って作業者個人を認識する生体認識手段と、
前記生体認識手段の認識結果に対応して前記前扉用シリンダ錠ロータと前記従動軸との間の断続を行う断続手段とを備えることを特徴とする遊技機。
【発明の詳細な説明】
【技術分野】
【０００１】
本発明は、筐体の開口を閉塞する前扉に対して施錠が可能な遊技機に関する。
【背景技術】
【０００２】
従来、スロットマシンやパチンコ機等の遊技機には、本体枠（筐体）の前面にヒンジを介して開閉可能に取り付けられた開閉扉（前扉）が不正に開放されることを防止するために一般的に施錠装置が設けられている（例えば特許文献１参照）。この種の施錠装置としては、前扉に取り付けられたシリンダ錠と、コイルバネにより付勢されたフックと、シリンダ錠及びフックを機械的に連動させる連動機構を有しており、筐体に設けられた受け金具にコイルバネにより付勢されたフックを係止させて扉を閉じた状態で施錠するようになっている。このような施錠装置の施錠を解除する場合には、シリンダ錠に対してキーによる解錠操作を行うことで、連動機構を介してフックを移動させ、フックによる前記受け金具の係止を解除して、前扉を開閉可能な状態にしている。
【０００３】
一方、スロットマシンは、入賞役の当選確率（遊技の際に払い出される遊技媒体の払い出し確率）の設定変更は、電源装置等に組み込まれる設定変更入力部で行われている。この設定変更入力部は、例えば６段階の入賞役の当選確率から１つを選択するための設定変更ボタンや現在の設定を確認する表示部、設定値を変更し確定する際の所定の確定スイッチ等から構成される。入賞役の当選確率の設定変更を変更する場合には、電源装置等に設けられた鍵穴に専用の鍵となる設定キーを挿入し、設定変更を有効とする位置まで設定キーを所定方向に回転させる。そして、スロットマシンの電源をオンにし、設定変更ボタンを操作選択した後に所定のスイッチ操作を行うことで入賞役の当選確率の設定変更を確定し実行することができる。なお、設定キーは遊技場の特定の店員又は経営者もしくは責任者しか保持所有していないので、遊技者等が設定変更を行うことができないようになっている（例えば特許文献２参照）。
【０００４】
【特許文献１】特開２００５−１２４８４９号公報
【特許文献２】特開２００６−５５５９６号公報
【発明の開示】
【発明が解決しようとする課題】
【０００５】
しかしながら従来の遊技機では、不正を行う者によって、偽造された前扉キーや不正な器具により前扉に取り付けられたシリンダ錠が解錠され、前扉が不正に開かれ、メダルが盗難されたり、入賞役の当選確率の設定表示や設定変更が不正に行われたりすることがあった。
【０００６】
本発明は、こうした従来の問題に鑑みてなされたものであり、偽造された前扉キーや不正器具により前扉が不正に開放されるのを防止できる遊技機を提供することを目的としている。
【課題を解決するための手段】
【０００７】
上述した課題を解決するため、請求項１に記載の発明は、前方に開口を有する筐体と、前記筐体に対して回動可能に取り付けられることで前記開口を開閉可能な状態で閉塞させる前扉と、所定の第１の遊技操作を契機に乱数値を取得し、取得した当該乱数値に基づいて入賞役を抽選する抽選手段と、前記抽選手段が抽選した入賞役及び所定の第２の遊技操作に基づいて、遊技媒体を前記前扉の内側から外側に向けて払い出す遊技媒体払い出し手段とを備えた遊技機であって、前記前扉に設けられ、筒状に形成された前扉用シリンダ錠本体と、前扉キーと嵌合する前扉キー嵌合部を有し、前記前扉用シリンダ錠本体の筒内に挿入され、当該筒内で係止固定状態及び回転可能な状態の何れか一方の状態にあり、前記前扉キー嵌合部が前記前扉キーと嵌合することで前記筒内での係止固定状態を解除する前扉用シリンダ錠ロータと、前記前扉の内側で前記前扉用シリンダ錠ロータと機械的に断続可能に配設され、前記前扉用シリンダ錠ロータと接続した状態で前記前扉用シリンダ錠ロータと連動して回動する従動軸と、前記従動軸に固定して取り付けられたカム板と、前記前扉を前記筐体に固定するとともに前記カム板の回動に連動して当該固定の解除を行う前扉ロック機構部と、人間の生体的な特徴を使って作業者個人を認識する生体認識手段と、前記生体認識手段の認識結果に対応して前記前扉用シリンダ錠ロータと前記従動軸との間の断続を行う断続手段とを備えることを特徴とする。
【０００８】
請求項１に記載の遊技機によれば、生体認識手段が人間の生体的な特徴を使って作業者個人を認識し、断続手段が前記生体認識手段の認識結果に対応して前記前扉用シリンダ錠ロータと前記従動軸との間の断続を行うので、偽造された前扉キーや不正器具により前扉が不正に開放されるのを防止できる。
【発明の効果】
【０００９】
本発明の遊技機によれば、偽造された前扉キーや不正器具により前扉が不正に開放されるのを防止できるので、遊技媒体の盗難を防止できるとともに、入賞役の当選確率の設定表示や設定変更が不正に行われることを防止できる。
【発明を実施するための最良の形態】
【００１０】
以下、本発明に係る遊技機の好適な一実施形態をスロットマシンを例に図面を参照して説明する。なお、図１はスロットマシン１の外観構造を表した斜視図である。図２は前扉３を開放した状態におけるスロットマシン１の内部構造を表した図である。図３はスロットマシン１の制御システムを表したブロック図である。
【００１１】
図１において、スロットマシン１は、前方に開口を有する略矩形状の箱体である筐体２と、当該筐体２に対して蝶番機構により回動可能に取り付けられることで前記開口を開閉可能な状態で閉塞させる前扉３とを備えている。
【００１２】
前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダル（遊技媒体）を貯留するメダル受皿６ａが一体的に形成されたメダル受皿部６が設けられている。
【００１３】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５、及びメダル受皿部６は、遊技者側に面し、これらによって「前面パネル部」が構成される。
【００１４】
上部パネル部４の中央には、硬質プラスチック板等で形成されたパネル面４１が設けられている。パネル面４１のほぼ中央には略長方形の透明な表示窓４２が形成され、表示窓４２を通して筐体２内に設けられているリールユニット１００の３個のリール１０１ａ、１０１ｂ、１０１ｃが目視される。
【００１５】
ここで、筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリールに描かれたそれぞれ上下方向３個の図柄を目視できるようになっている。
【００１６】
また、パネル面４１には、裏面側に設けられている図示しないランプを点灯させることで例えば入賞役への内部当選など遊技状態に関する情報を演出表示する遊技状態表示部４３と、これと同様にランプを点灯させることで遊技操作のアシストに関する情報を表示する操作アシスト表示部４４と、スロットマシン１にクレジット（貯留）されているメダル数を表示する数値情報表示部４５と、入賞によって獲得したメダル数及び入賞役の抽選確率の設定を数値表示する数値情報表示部４００とが、それぞれ表示窓４２の周辺に設けられている。
【００１７】
上部パネル部４の上部には、高輝度発光ダイオード等のランプ類を内蔵する中央及び左右の演出用照明部４６、４７ａ、４７ｂと、ゲームに係る効果音を発生させるスピーカを内蔵する演出用放音部４８ａ、４８ｂが配置されている。
【００１８】
スロットマシン１は、ゲームの進行に応じて上述した複数の演出用照明部４６、４７ａ、４７ｂ等が点灯又は点滅することで、ゲームにおける視覚的な演出効果を高めるように形成されている。
【００１９】
また、演出用放音部４８ａ、４８ｂの間には、透明な硬質プラスチック板等が嵌め込まれて形成された表示窓４９ａに面して遊技機の演出装置として液晶表示装置４９が配置されている。なお、液晶表示装置４９は、ゲームの演出に係る映像やゲーム（遊技）に関する情報を主に表示する。
【００２０】
操作卓７の上面右側にはメダル投入部７１が設けられている。メダル投入部７１はメダルを投入するためのメダル投入口７２を有する。メダル投入部７１の右隣には本実施形態の要部となる指紋センサ９０が設けられている。また、操作卓７の上面の左側には、押しボタンスイッチである２個のベットボタン７３、７４が設けられている。
【００２１】
ベットボタン７３、７４はスロットマシンの１ゲームに賭けるメダルの枚数を提示するためのボタンスイッチである。本スロットマシン１においては、ゲームを開始する際に、ベットボタン７３が押圧操作されることで、貯留されているメダルから１枚のメダルがゲームに対して賭けられる。同様に、ベットボタン７４が押圧操作されることで３枚の当該ゲームにメダルが賭けられる。なお、ベットボタン７４は、最大枚数のメダルを賭けることから、特に「マックスベットボタン」と呼ばれている。
【００２２】
操作卓７の前面左側には、リール１０１ａ、１０１ｂ、１０１ｃの回転開始を指示するためのスタートレバー７５が設けられている。スタートレバー７５は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。
【００２３】
また、操作卓７の中央には、各リール１０１ａ、１０１ｂ、１０１ｃの回転停止をそれぞれ指示するためのストップボタン７６ａ、７６ｂ、７６ｃが各リールの配列に対応して並設されている。
【００２４】
さらに、操作卓７の前面の左隅には、ゲームに賭けられたメダルをキャンセルして払い出させることを指示するとともに、後述するメダルクレジット手段２０３（図３参照）が内部貯留したメダルを精算して払い出させることを指示するための精算ボタン７７が設けられている。
【００２５】
操作卓７の前面右側には、前扉用シリンダ錠７８が埋設されている。前扉用シリンダ錠７８には、前扉３を解錠するための前扉キーが挿入される鍵穴７９が設けられている。スロットマシン１の管理者等が鍵穴７９に所定の鍵を挿入して解錠操作すると、蝶番機構によって筐体２に取り付けられている前扉３を前方へ開くことができ、また前扉３を筐体２側に閉じると、自動的にこれらを施錠するようになっている。
【００２６】
下部パネル部５には、スロットマシン１のモデルタイプを遊技者へ認識させる等のため、登場キャラクターの絵などを表示する表示パネル５１が設けられている。表示パネル５１の左右両脇には、左右の演出用照明部５２ａ、５２ｂが設けられている。
【００２７】
下部パネル部５の下側に配置されたメダル受皿部６には、入賞時にメダルを排出するメダル払出口６１と、払い出されたメダルを貯留するメダル受皿６ａと、演出効果音を発生させるスピーカを内蔵する左右の演出用放音部６２ａ、６２ｂとが配置されている。
【００２８】
次に、図２を参照して、筐体２の内部構造と前扉３の裏面構造とを説明する。
【００２９】
図２において、筐体２の前方には開口８を有している。この開口８内の上部には、硬質プラスチックの基板ケース２１０に収納された主制御基板２０が取り付けられている。主制御基板２０は、スロットマシン１の全体動作を集中制御するＣＰＵ（マイコン）を備えている。
【００３０】
筐体２内の中央には、リール１０１ａ、１０１ｂ、１０１ｃを備えるリールユニット１００が設けられている。リールユニット１００は、前扉３が筐体２側に閉じられると前扉３の表示窓４２にリール１０１ａ、１０１ｂ、１０１ｃが対向するように、所定フレームに位置決めされて取り付けられている。なお、各リール１０１ａ、１０１ｂ、１０１ｃは、それぞれに内蔵されたステッピングモータによって回転駆動される。
【００３１】
また、リールユニット１００の上部には、各リールを回転駆動する上記ステッピングモータへ４相の駆動パルス信号を送出する回胴装置基板が取り付けられており、主制御基板２０が回胴装置基板に回胴駆動（励磁）パルスデータを送出することで、各リールの回転と制動及び停止の制御を行っている。
【００３２】
リールユニット１００の下方には、ホッパ装置２１と、ホッパ装置２１から溢れたメダルを収容するための補助貯留部２２と、主電源装置２３が設けられている。主電源装置２３の内部の右側には、いわゆる配電盤に相当する電源装置基板２４が設けられている。主電源装置２３の前面には電源スイッチ８１、リセット釦８２、設定錠８３等が設けられている。設定錠８３には、当該設定錠８３の動作を検出することで設定キーの動作を検出する設定キー動作検出スイッチ８８（図３参照）が設けられている。主電源装置２３の前面は、通常時、透明な扉８４により覆われている。
【００３３】
主電源装置２３は、前記筐体２の裏側の壁面９に形成された貫通孔１０を介しての筐体２の外部から電力が供給され、供給された電力から所定の電圧値の電力を生成して主制御基板２０、ホッパ装置２１等のスロットマシン１の構成要素に供給する。
【００３４】
更に、筐体２の上部右側の内壁に、遊技場に設置されている「ホールコンピュータ」と呼ばれる管理用コンピュータと接続可能な外部集中端子基板２５が取り付けられている。
【００３５】
筐体２の右側内壁の前端近傍には、後述の施錠装置ユニット３００の可動フック３０３、３０４（図４参照）が係止する板状の固定板２６、２７と施錠装置ユニット３００のローラ３１２（図４参照）が移動する水平面部２８が設けられている。
【００３６】
次に、前扉３の裏面側上部には、発光駆動部３０、３１ａ、３１ｂが配置されている。発光駆動部３０、３１ａ、３１ｂは、それぞれ演出用照明部４６、４７ａ、４７ｂの光源である高輝度の発光ダイオードが複数配列され、この発光ダイオードを発光駆動する駆動回路が実装されている。
【００３７】
また、前扉３の裏面側上部には、上述の演出用放音部４８ａ、４８ｂに対向してスピーカ３２ａ、３２ｂが取り付けられている。また、スピーカ３２ａ、３２ｂの間には、液晶表示装置４９が取り付けられている。更に、液晶表示装置４９の裏面側には、電気回路基板で形成され硬質プラスチックの基板ケース２２０に収納されたサブ制御基板４０が取り付けられている。
【００３８】
主制御基板２０及びサブ制御基板４０は、スロットマシン１の作動を制御する制御基板である。
【００３９】
サブ制御基板４０の下方には、リール１０１ａ、１０１ｂ、１０１ｃを目視させるための透明な表示窓４２が形成されたパネル板５０が配置され、表示窓４２の下方には、前面側のスタートレバー７５（図１参照）及びストップボタン７６ａ、７６ｂ、７６ｃ（図１参照）等の操作スイッチ類の出力信号を主制御基板２０へ転送する中継基板として機能する中央表示基板３３が設けられている。中央表示基板３３の後側板面の右側（この場合の右側は、前扉３の前方から見た場合の右側を示している。）には、設定変更釦８６が設けられている。設定変更釦８６は、ヒンジ機構により開閉可能な透明カバー８７により覆われている。中央表示基板３３の後側板面の設定変更釦８６より右側には、登録開始釦９１、登録釦９２、リセット釦９３が設けられている。中央表示基板３３には、指紋認識識別回路９４が設けられている。指紋認識識別回路９４は、登録開始釦９１、登録釦９２、リセット釦９３が接続されるとともに、対応するリード線を介して指紋センサ９０（図１参照）、サブ制御基板４０及び前扉用シリンダ錠７８内のソレノイド９５が接続されている。
【００４０】
中央表示基板３３の右斜め下方には、前扉用シリンダ錠７８が設けられている。前扉用シリンダ錠７８の後端には、後述のカム板３０９が設けられている。
【００４１】
前扉３の裏面の右側には、前記カム板３０９の回動に連動して前記前扉３を前記筐体２に固定するとともに当該固定の解除を行う前扉ロック機構部３１０が設けられている。前扉ロック機構部３１０は、後述の施錠装置ユニット３００の構成要素となっており、前扉用シリンダ錠７８のリセット操作に連動するようになっている。前扉ロック機構部３１０には、前扉用シリンダ錠７８のリセット操作に連動する動作を検出するフォトセンサ３１１が取り付けられている。
【００４２】
中央表示基板３３の下方には、メダル選別装置３４が取り付けられている。メダル選別装置３４は、メダル投入部７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００４３】
メダル選別装置３４の装置本体の下方には、メダル選別装置３４によって振り分けられた正規のメダルを筐体２内に設けられているホッパ装置２１へ案内するガイド部材３５と、メダル選別装置３４により排除されたメダル（又は異物）をメダル排出口６１へ案内するガイド部材３６が設けられている。また、前扉３の裏面側下部には、ホッパ装置２１から排出されたメダルをメダル排出口６１へ案内するガイド部材３７が設けられている。更に、メダル排出口６１に隣接して、上述した演出用放音部６２ａ、６２ｂに対向するスピーカ３８ａ、３８ｂが取り付けられている。
【００４４】
なお、スロットマシン１全体の動作は、筐体２側に設けられている主制御基板２０によって統括制御されており、サブ制御基板４０は、液晶表示装置４９、及び演出用放音部４８ａ、４８ｂ、６２ａ、６２ｂのスピーカ３２ａ、３２ｂ、３８ａ、３８ｂを使った演出効果音制御など、ゲームの演出に係る制御を主に行っている。
【００４５】
次に、図３のブロック図を参照して、スロットマシン１に設けられている制御システムについて説明する。
【００４６】
図３において、主制御基板２０は、ＣＰＵ２００と、記憶部２０１とを備えている。
【００４７】
記憶部２０１は、ＲＯＭ、ＲＡＭ等の半導体メモリによって構成され、スロットマシンゲーム用のシステムプログラム２０２が予め記憶されている。主制御基板２０は、記憶部２０１に記憶されたシステムプログラム２０２に従ってＣＰＵ２００が演算処理を実行することで、スロットマシン１全体の動作を統括制御している。
【００４８】
また、記憶部２０１にはメダルクレジット手段２０３が設けられている。メダルクレジット手段２０３はスロットマシン１が内部貯留するメダルの数であるクレジットをメモリに記憶する。
【００４９】
主制御基板２０には、ベットボタン７３、７４、スタートレバー７５、ストップボタン７６ａ、７６ｂ、７６ｃ、精算ボタン７７、電源スイッチ８１、リセット釦８２、設定変更釦８６等の操作スイッチ類、フォトセンサ３１１、設定キー動作検出スイッチ８８等の検出スイッチ類、メダル選別装置３４のメダルセンサ３４ａ、ホッパ装置２１等のメダル払出装置、及びサブ制御基板４０及び数値情報表示部４００等がハーネスを介して接続されている。尚、設定キー動作検出スイッチ８８は、主電源装置２３内に設けられ、設定錠８３と連動するようになっている。
【００５０】
主制御基板２０は、前記操作スイッチ類やメダル選別装置３４のメダルセンサ３４ａからの出力信号によりゲームに係る操作を検出する。
【００５１】
主制御基板２０は、動作モードがメダルベット待機状態となっている場合において、メダルセンサ３４ａがメダルを検出した場合、検出したメダルをゲームの賭数に加算する。
【００５２】
また、主制御基板２０は、動作モードがメダルクレジット入力待機状態となっている場合において、メダルセンサ３４ａがメダルを検出した場合、検出したメダルをメダルクレジット手段２０３のクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、メダルクレジット手段２０３の前記クレジット数が最大値（５０）になるまでの状態のことを示している。
【００５３】
主制御基板２０は、各リール１０１ａ、１０１ｂ、１０１ｃに設けられる基準位置センサ１２０ａ、１２０ｂ、１２０ｃの検出信号を入力し、各リールの基準となる回転位置を把握しながら、回胴装置基板１３０に所定の回胴駆動パルスデータを送出する。回胴装置基板１３０は、主制御基板２０からの回胴駆動パルスデータに従って各ステッピングモータ１１０ａ、１１０ｂ、１１０ｃを回転駆動することで、各リール１０１ａ、１０１ｂ、１０１ｃの回転及び停止の動作制御を行っている。
【００５４】
主制御基板２０は、入賞が確定した場合等において、ホッパ装置２１を制御することで、所定数のメダルをメダル受皿６ａに払い出す。
【００５５】
また、主制御基板２０は、精算ボタン７７が操作された場合、ゲームに賭けられたメダルをキャンセルしてホッパ装置２１に払い出させるとともに、メダルクレジット手段２０３（図３参照）が内部貯留したメダルを精算してホッパ装置２１に精算前のクレジット数のメダルを払い出させる。
【００５６】
サブ制御基板４０は、主制御基板２０からの制御信号に基づいて液晶表示装置４９（図１参照）、演出用照明部４６、４７ａ、４７ｂ、５２ａ、５２ｂ（図１参照）、演出用放音部４８ａ、４８ｂ、６２ａ、６２ｂ（図１参照）のスピーカ３２ａ、３２ｂ、３８ａ、３８ｂ等の演出装置２３０を制御駆動することで、遊技者の視覚や聴覚に訴える演出をゲームの進行に応じて行っている。
【００５７】
一方、主制御基板２０の記憶部２０１には、入賞抽選テーブル２０４及び内部抽選フラグ２０５が記憶されている。主制御基板２０には、乱数値のデータを発生する乱数発生装置２０６がＣＰＵ２００に接続した状態で設けられている。例えばＣＰＵ２００は、スタートレバー７５の操作を検出した時点で乱数発生装置２０６から乱数値を取得し、入賞抽選テーブル２０４を参照することで、得られた乱数値に割り当てられた入賞役またはハズレを抽選する。そして、ＣＰＵ２００は、乱数値に対応する入賞役が存在すると、それを当該ゲームの入賞役として抽選結果を当選にし、当該入賞役を記憶部２０１の内部抽選フラグ２０５に記憶する。ここでは、かかる入賞役の抽選方法を「内部抽選」と呼んでいる。
【００５８】
入賞抽選テーブル２０４は、乱数値と対応する入賞役の組み合わせを１から６までの設定に応じて複数種有しており、後述の入賞役の抽選確率の変更を行う設定変更手段に操作に応じて乱数値に対応する入賞役を変更できるようになっている。
【００５９】
次に、スロットマシン１におけるゲーム動作の概要を説明する。
【００６０】
スロットマシン１は、先のゲームにおいて入賞しメダルの配当が完了した時、又は先のゲームにおいてハズレが確定すると待機状態となる。この待機状態においては、当該状態を遊技者に示唆するとともにゲーム操作を促す待機モードの演出が液晶表示装置４９等によって行われる。次に、遊技者がメダル投入部７１にメダルを投入し、もしくは、何れかのベットボタン７３、７４を押圧操作することで、スロットマシン１は、内部に貯留したメダル（クレジット）から当該ゲームに所定枚数のメダルが賭けられゲームを準備する。
【００６１】
ゲーム準備の状態でスタートレバー７５が傾倒操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ２０５に記憶される。
【００６２】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ２０５に対応する入賞役に係る図柄の組合せとが一致しているかどうか判定する。
【００６３】
これら図柄の組合せが一致し役への入賞が確定すると、スロットマシン１は、主制御基板２０によりメダルクレジット手段２０３の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルをメダル受皿６ａへ払い出す。
【００６４】
次に、図４乃至図２１を参照して本実施形態の要部となる前扉ロック機構部３１０を用いた施錠装置ユニット３００について説明する。
【００６５】
図４は施錠装置ユニット３００の分解斜視図である。図５は施錠装置ユニット３００の組み立てた状態の背面側から見た斜視図である。図６は施錠装置ユニット３００の組み立てた状態の正面側から見た斜視図である。図７は施錠装置ユニット３００の前扉用シリンダ錠７８及びその周辺部を示す分解斜視図である。図８は施錠装置ユニット３００の可動フック３０３及びその周辺部を示す分解斜視図である。図９は施錠装置ユニット３００の前扉用シリンダ錠７８及びその周辺部の組み立てた状態の背面側から見た斜視図である。図１０は施錠装置ユニット３００の前扉用シリンダ錠７８及びその周辺部の組み立てた状態の正面側から見た斜視図である。図１１は施錠装置ユニット３００の前扉用シリンダ錠７８及びその周辺部の組み立てた状態の左側から見た側面図である。図１２は施錠装置ユニット３００の可動フック３０３及びその周辺部の組み立てた状態の背面側から見た斜視図である。図１３は前扉キー６００の斜視図である。図１４は前扉用シリンダ錠７８の断面図である。図１５は前後のクラッチディスク８０１、８０２及びその周辺部を示す斜視図である。図１６は生体認識開錠システム９００を示すブロック図である。図１７は前扉用シリンダ錠７８が開錠操作可能になった状態を示す断面図である。図１８は施錠装置ユニット３００の前扉用シリンダ錠７８及びその周辺部の施錠を解除する操作が行われた状態の斜視図である。図１９は施錠装置ユニット３００の可動フック３０３及びその周辺部の施錠を解除する操作が行われた状態の斜視図である。図２０は施錠装置ユニット３００の可動フック３０３及びその周辺部のリセット操作が行われた状態の背面側から見た斜視図である。図２１は施錠装置ユニット３００の可動フック３０３及びその周辺部のリセット操作が行われた状態の正面側から見た斜視図である。
【００６６】
図４において、施錠装置ユニット３００は、本体フレーム３０１と、連結杆３０２と、上下の可動フック３０３、３０４と、作動杆３０５と、ダンパー板３０６と、コイルバネ３０７、３０８と、カム板３０９と、前扉用シリンダ錠７８と、フォトセンサ３１１と、ローラ３１２とを備え、これらの部材をネジ３１４、３１５及びリベット５０１、５０２…５０７で組み立てたものである。
【００６７】
また、本体フレーム３０１と、連結杆３０２と、上下の可動フック３０３、３０４と、作動杆３０５と、ダンパー板３０６と、コイルバネ３０７、３０８と、カム板３０９と、リベット５０１、５０２…５０６は、上述した前扉ロック機構部３１０を構成している。
【００６８】
本体フレーム３０１は、所定形状の金属製の板材を折り曲げて形成したものであって、縦長の取付板部３２１の長手方向の一側縁に支持板部３３０が当該取付板部３２１に対し垂直に起立して形成されている。本体フレーム３０１の内側には、連結杆３０２が支持板部３３０に沿って施錠位置と解錠位置との間で移動可能に配設されている。支持板部３３０は、上方の支持板部３３１、中間の支持板部３４１、下方の支持板部３５１に分割されている。
【００６９】
また、本体フレーム３０１は、取付板部３２１の長手方向の他側縁から、上端から下端にわたり直線状で細幅の補強片３６１（図５及び図６参照）が取付板部３２１に対し支持板部３３０と同一側に垂直に起立して形成されている。
【００７０】
取付板部３２１は、上方部と下方部が同一幅で、中間の支持板部３４１と連設する中間部が幅方向に拡張された幅広部３２２（図７参照）となっている。従って、上方の支持板部３３１、中間の支持板部３４１、下方の支持板部３５１は互いに平行であり、また、これら支持板部３３１、３４１、３５１と、補強片３６１とは平行となっている。一方、連結杆３０２は、金属製の板材からなり、縦方向の長さが支持板部３３０の縦方向の長さより若干短く形成されている。
【００７１】
図４及び図８において、本体フレーム３０１の上方の支持板部３３１の上部には、板面を貫通してリベット孔３３２及び逃がし孔３３３が形成されている。一方、可動フック３０３の基端部３８１には、板面を貫通してリベット挿通孔３８２及びリベット孔３８３が形成されている。連結杆３０２の上端近傍には、板面を貫通してリベット挿通孔３９１が形成されている。可動フック３０３の上辺には、固定板２６（図２参照）に係止するための係止爪３８４が形成されている。
【００７２】
リベット５０１は、その胴が可動フック３０３のリベット挿通孔３８２に挿入し、支持板部３３１のリベット孔３３２に挿入し、リベット孔３３２から突出した胴の先端がかしめられることで、図１２に示すように、可動フック３０３を支持板部３３１の上部に回動可能な状態で軸支するようになっている。
【００７３】
図４及び図８において、リベット５０２は、その胴が連結杆３０２のリベット挿通孔３９１に挿入し、可動フック３０３のリベット孔３８３に挿入し、リベット孔３８３から突出した胴の先端がかしめられることで、図１２に示すように、連結杆３０２を可動フック３０３の基端部３８１に回動可能な状態で軸支するようになっている。
【００７４】
図４及び図７において、本体フレーム３０１の下方の支持板部３５１には、板面を貫通してリベット孔３５２、３５３及び逃がし孔３５４が形成されている。一方、可動フック３０４の基端部４１１には、板面を貫通してリベット挿通孔４１２及びリベット孔４１３が形成されている。連結杆３０２の下端近傍には、板面を貫通してリベット挿通孔３９２が形成されている。可動フック３０４の上辺には、固定板７６（図２参照）に係止するための係止爪４１４が形成されている。ローラ３１２は、回転中心にリベット挿通孔４２０が形成されている。
【００７５】
リベット５０３は、その胴が可動フック３０４のリベット挿通孔４１２に挿入し、支持板部３５１のリベット孔３５２に挿入し、リベット孔３５２から突出した胴の先端がかしめられることで、図９に示すように、可動フック３０４を支持板部３５１に回動可能な状態で軸支するようになっている。
【００７６】
図４及び図７において、リベット５０４は、その胴が連結杆３０２のリベット挿通孔３９２に挿入し、可動フック３０４のリベット孔４１３に挿入し、リベット孔４１３から突出した胴の先端がかしめられることで、図９に示すように、連結杆３０２の下端近傍を可動フック３０４の基端部４１１に回動可能な状態で軸支するようになっている。
【００７７】
図４及び図７において、リベット５０７は、ローラ３１２のリベット挿通孔４２０に挿入し、支持板部３５１のリベット孔３５３に挿入し、リベット孔３５３から突出した胴の先端がかしめられることで、図９に示すように、ローラ３１２を支持板部３５１に回動可能な状態で軸支するようになっている。
【００７８】
次に、取付板部３２１について詳細に説明する。
【００７９】
図４において、取付板部３２１には、施錠装置ユニット３００を前扉３（図２参照）の裏面右側部に取り付けることができるように複数の止めネジ挿通孔３２３が上下に並べて形成されている。
【００８０】
図４及び図７において、中間の支持板部３４１に対応する取付板部３２１の幅広部３２２には錠取付孔３２４が穿設されている。幅広部３２２の錠取付孔３２４より上側及び下側には、それぞれネジ孔３２５、３２６が形成されている。一方、前扉用シリンダ錠７８のフランジ部３７１には、ネジ挿通孔３７２、３７３が形成されている。
【００８１】
錠取付孔３２４には前扉用シリンダ錠７８が挿通される。
【００８２】
ネジ３１４、３１５は、フランジ部３７１のネジ挿通孔３７２、３７３と、幅広部３２２のネジ孔３２５、３２６との位置を合わせた状態において、そのネジ部がネジ挿通孔３７２、３７３に挿通し、ネジ孔３２５、３２６に螺入することで、図９に示すように、幅広部３２２にフランジ部３７１をネジ止め固定している。
【００８３】
図４及び図７において、前扉用シリンダ錠７８の錠軸となる後側従動軸８０４（図１４参照）の細径部８３６（図１４参照）には、カム板３０９がネジ３７５によるネジ止めで取り付けられている。カム板３０９は、径方向に延びる第１突部４３１及び第２突部４３２を有している。またカム板３０９は、連結杆３０２を施錠位置から解錠位置に移動させたり、作動杆３０５を非作動位置から作動位置に移動させたりする。
【００８４】
また、支持板部３４１の下辺には、取付板部３２１の幅方向（外側）に張り出された張り出し部３４２（図１０及び図１１参照）が形成されている。該張り出し部３４２にはスロットマシン１のリセットに使用される光電スイッチ等のフォトセンサ３１１がネジ止めされている。図７に示すように、フォトセンサ３１１は、発光部３４７と受光部３４８を有している。
【００８５】
図４及び図７において、連結杆３０２は、金属製の板材からなり、上方の支持板部３３１、中間の支持板部３４１及び下方の支持板部３５１に沿って移動ができるように中間部が支持板部３４１側に折り曲げられて所定長さの段部３９３が形成されている。即ち、連結杆３０２は、上から順に垂直板部３９４、傾斜板部３９５、垂直板部３９６、傾斜板部３９７、垂直板部３９８を有しており、傾斜板部３９５と、垂直板部３９６と、傾斜板部３９７とが段部３９３を構成している。
【００８６】
図４及び図８において、上側の垂直板部３９４の上部には、前述したリベット挿通孔３９１が当該垂直板部３９６の上端に近接して形成されている。
【００８７】
図４及び図７において、上側の垂直板部３９４の下部には、コイルバネ３０７の上端を掛けるフック４２１が段部３９３の形成方向と反対の方向に突出して形成されている。
【００８８】
また、連結杆３０２は、上側の垂直板部３９４のフック４２１より所定間隔を置いた下側から傾斜部３９５の上部に亘ってスリット４２２が形成され、傾斜部３９５の下端近傍から垂直板部３９６の上部に亘って逃がし孔４２３が形成されている。また、垂直板部３９６には、係合孔４２４、スリット４２５、リベット孔４２６、段部４２７が形成されている。段部４２７は、垂直板部３９６の支持板部３３０側に突出して形成され、後述のダンパー板３０６の切り欠き部４４５が係止するようになっている。垂直板部３９６の下部の前辺には、ダンパー板３０６のフック４４４を通すための切欠き４２８が形成されている。
【００８９】
傾斜板部３９７には、コイルバネ３０８の下端を掛けるフック４２９が形成されている。
【００９０】
一方、本体フレーム３０１の支持板部３４１と連結杆３０２の段部３９３との間には、支持板部３４１から順に作動杆３０５及びダンパー板３０６が介挿されるようになっている。
【００９１】
ダンパー板３０６は、連結杆３０２の垂直板部３９６の縦方向の長さとほぼ等しい長さの金属製の板材からなる。ダンパー板３０６の前辺には、カム板３０９の第１突部４３１が摺動するカム形状４４１が形成されている。ダンパー板３０６の上下の中間部には、リベット挿通孔４４２と貫通部４４３が板面を貫通して形成されている。ダンパー板３０６の下部の前辺には、フック４４４が連結杆３０２側に向けて突出して形成されている。ダンパー板３０６の下部の後辺には、切り欠き部４４５が形成されている。
【００９２】
リベット５０５は、その胴がダンパー板３０６のリベット挿通孔４４２に挿入し、連結杆３０２の垂直板部３９６のリベット孔４２６に挿入し、リベット孔４２６から突出した胴の先端がかしめられることで、ダンパー板３０６を連結杆３０２の垂直板部３９６に回動可能な状態で軸支するようになっている。
【００９３】
作動杆３０５は、金属製の板材からなり、上方の支持板部３３１及び中間の支持板部３４１に沿って移動ができるようにに折り曲げられている。即ち、作動杆３０５は、上から順に垂直板部４５１、傾斜板部４５２、垂直板部４５３を有しており、傾斜板部４５２は、垂直板部４５１の下端から中間の支持板部３４１に向けて傾斜している。
【００９４】
作動杆３０５の垂直板部４５１には、上下方向に延びるスリット４５４が形成されている。
【００９５】
傾斜板部４５２の上部には、コイルバネ３０７の下端を掛けるフック４５５が連結杆３０２側に突出して形成されている。
【００９６】
垂直板部４５３の上部には、係合孔４５６が形成されている。
【００９７】
垂直板部４５３の後辺の中間部の下寄りには、本体フレーム３０１に対する前後の位置決めを行うための摺動部４５７が形成されている。
【００９８】
垂直板部４５３の前辺の下部には、フォトセンサ３１１を作動させるための遮光片４５８が中間の支持板部３４１に向けて折り曲げ形成されている。
【００９９】
一方、本体フレーム３０１の上方の支持板部３３１の下部には、作動杆３０５の垂直板部４５１のスリット４５４に挿入する膨出部３３４が形成されている。膨出部３３４とスリット４５４は、本体フレーム３０１に対して支持板部３３１が上下方向にスライドする範囲を規制している。
【０１００】
本体フレーム３０１の中間の支持板部３４１の上部には、カム板３０９が回動する際、カム板３０９の第１突部４３１及び第２突起部４３２を逃がすための逃げ孔３４３が形成されている。
【０１０１】
また、中間の支持板部３４１の中間部には、連結杆３０２側に向けて膨出する膨出部３４４が形成されている。
【０１０２】
膨出部３４４は、作動杆３０５の摺動部４５７と摺動するようよになっており、取付板部３２１の幅広部３２２との間に作動杆３０５を挟むようになっている。膨出部３４４の中心にはリベット孔３４５が形成されている。
【０１０３】
また、支持板部３４１の中間部には、作動杆３０５の遮光片４５８が挿入されるスリット３４６が形成されている。
【０１０４】
リベット５０６は、その胴が連結杆３０２のスリット４２５に挿入し、ダンパー板３０６の貫通部４４３に挿入し、本体フレーム３０１のリベット孔３４５に挿入し、リベット孔３４５から突出した胴の先端がかしめられることで、連結杆３０２を上下方向にスライド可能な状態で本体フレーム３０１に取り付けるとともに、連結杆３０２に対するダンパー板３０６の回動角の範囲を規制している。
【０１０５】
以下、施錠装置ユニット３００を組み立てた状態について説明する。
【０１０６】
図５において、施錠装置ユニット３００を組み立てた状態では、上下の可動フック３０３、３０４は、それぞれ本体フレーム３０１の支持板部３３０の上部及び下部に、リベット５０１、５０３を中心にして回動可能の状態で取り付けられている。
【０１０７】
上側の可動フック３０３は、連結杆３０２の上部とリベット５０３を介して回動可能の状態で連結している。下側の可動フック３０４は、連結杆３０２の下部とリベット５０４を介して回動可能の状態で連結している。連結杆３０２は、リベット５０６により上下方向にスライド可能な状態で本体フレーム３０１に取り付けられている。
【０１０８】
図９において、本体フレーム３０１の支持板部３４１と連結杆３０２の段部３９３との間には、支持板部３４１から順に作動杆３０５及びダンパー板３０６が配置している。ダンパー板３０６は、リベット５０５を軸として連結杆３０２の段部３９３に回動可能な状態で取り付けられている。ダンパー板３０６は、連結杆３０２の段部４２７に切り欠き部４４５（図７参照）が係止することで、回動角が規制されている。
【０１０９】
作動杆３０５は、本体フレーム３０１の膨出部３３４、３４４（図７参照）と連結杆３０２によって、所定の範囲で上下方向にスライド可能な状態で本体フレーム３０１に取り付けられている。
【０１１０】
作動杆３０５のフック４５５は、連結杆３０２のスリット４２２を介して外側に突出している。連結杆３０２のフック４２１と作動杆３０５のフック４５５の間にはコイルバネ３０７が取り付けられている。
【０１１１】
コイルバネ３０７は、作動杆３０５に対して連結杆３０２を上側に付勢するとともに、連結杆３０２に対して作動杆３０５を下側に付勢している。
【０１１２】
作動杆３０５のスリット４５４（図７参照）の下端が本体フレーム３０１の膨出部３３４（図７参照）に係止した状態では、コイルバネ３０７によって連結杆３０２が本体フレーム３０１に対して下側に付勢される。
【０１１３】
連結杆３０２のスリット４２５（図７参照）の上端が本体フレーム３０１に取り付けられたリベット５０６に係止した状態では、コイルバネ３０７によって作動杆３０５が本体フレーム３０１に対して上側に付勢される。
【０１１４】
ダンパー板３０６のフック４４４は、連結杆３０２の切欠き４２８を介して外側に突出している。連結杆３０２のフック４２９とダンパー板３０６のフック４４４の間にはコイルバネ３０８が取り付けられている。
【０１１５】
コイルバネ３０８は、ダンパー板３０６のカム形状４４１がカム板３０９の第１突部４３１を押す方向にダンパー板３０６を付勢している。
【０１１６】
前扉用シリンダ錠７８が施錠された状態において、カム板３０９の第１突部４３１は逃がし孔４２３に挿入し、カム板３０９第２突部４３２は連結杆３０２の係合孔４２４に挿入している。逃がし孔４２３の奥方には、作動杆３０５の係合孔４５６が配置している。
【０１１７】
以下、前扉キー６００について詳細に説明する。
【０１１８】
図１３において、前扉キー６００は、金属製の軸部６０１の先端に前扉用シリンダ錠ロータ６１２（図１４参照）と嵌合する嵌合部６０２を有し、軸部６０１の基端に摘み６０３を取り付けたものである。嵌合部６０２には後述の複数の前側タンブラーピンがそれぞれ係止する複数の溝部６０４、６０５…が形成されている。
【０１１９】
図１４において、前扉用シリンダ錠７８は、フランジ部３７１と、前扉用シリンダ錠本体６１１と、前扉用シリンダ錠ロータ６１２と、クラッチ機構８００と、ソレノイド９５とを備えている。
【０１２０】
フランジ部３７１は、本体フレーム３０１（図４参照）の幅広部３２２（図４参照）に取り付け固定される。
【０１２１】
前扉用シリンダ錠本体６１１は、筒状に形成され、フランジ部３７１の前面に固定されている。
【０１２２】
前扉用シリンダ錠ロータ６１２は、前扉キー６００の嵌合部６０２と嵌合する前扉キー嵌合部６３０を有し、前記前扉用シリンダ錠本体６１１の筒内に挿入され、当該筒内で係止固定状態及び回転可能な状態の何れか一方の状態にあり、前記前扉キー嵌合部６３０が前記前扉キー６００の嵌合部６０２と嵌合することで前記筒内での係止固定状態を解除する。
【０１２３】
前扉用シリンダ錠本体６１１は、円筒部６３１と、固定部材６３２、ケース６３３とを備えている。
【０１２４】
前扉用シリンダ錠ロータ６１２は、後側から順に細径部６４１、中径部６４２、大径部６４３、嵌合部６３０が形成されている。
【０１２５】
前扉用シリンダ錠本体６１１の円筒部６３１は、後方がフランジ部３７１の前面にかしめにより固定され、前方の開口６３４に固定部材６３２の後部が挿入されている。ケース６３３は、円筒部６３１から突出する固定部材６３２、前扉用シリンダ錠ロータ６１２の大径部６４３及び嵌合部６３０の外周を覆う。
【０１２６】
前扉用シリンダ錠ロータ６１２の中径部６４２は、固定部材６３２の中心の貫通孔６４４に挿入される。ケース６３３の内周には前扉用シリンダ錠ロータ６１２の大径部６４３を係止する段部６４５が形成されている。ケース６３３の前面６４６には鍵穴７９が形成されている。前扉用シリンダ錠ロータ６１２の大径部６４３は、ケース６３３の内面に形成された段部６４５と固定部材６３２との間に挟まれ、前後の位置が規定される。
【０１２７】
前扉用シリンダ錠ロータ６１２の細径部６４１の後方には、クラッチ機構８００が設けられている。
【０１２８】
クラッチ機構８００は、前後のクラッチディスク８０１、８０２と、前後の従動軸８０３、８０４と、リング状部材８０５と、コイルバネ８０６とから構成され、大部分が円筒部６３１に収納されている。
【０１２９】
前側クラッチディスク８０１は、アルミ合金等の金属を素材として金型により円盤状に形成したものである。
【０１３０】
前側クラッチディスク８０１の後面の縁部には、鋸歯形状のクラッチ歯８１１（図１５参照）が形成されている。
【０１３１】
クラッチディスク８０１の中央にはネジ挿通孔８１２が形成されている。
【０１３２】
細径部６４１の後端面には、ネジ孔８１３が形成されている。ネジ８１４は、そのネジ部がクラッチディスク８０１のネジ挿通孔８１２に挿入し、ネジ孔８１３に螺入することで、細径部６４１の後端面にクラッチディスク８０１をネジ止め固定する。
【０１３３】
後側クラッチディスク８０２は、繊維強化プラスチック等の磁石により吸い寄せられない素材（非磁性体）を金型により円盤状に形成したものである。
【０１３４】
後側クラッチディスク８０２の前面の縁部には、鋸歯形状のクラッチ歯８２１（図１５参照）が形成されている。
【０１３５】
後側クラッチディスク８０２の後面の中央には、円柱状の軸部８２２が後側クラッチディスク８０２本体と同様の素材で一体形成されている。
【０１３６】
軸部８２２の後端面には、ネジ孔８２３が形成されている。
【０１３７】
前側従動軸８０３は、スチール等の磁石に強くより吸い寄せられる素材（強磁性体）を棒状に形成したものである。
【０１３８】
前側従動軸８０３は、前側から順に雄ネジ部８３１、円柱形状部８３２、フランジ部８３３、四角柱形状部８３４を有している。雄ネジ部８３１は後側クラッチディスク８０２のネジ孔８２３の螺入して締め付けられることで、前側従動軸８０３を後側クラッチディスク８０２に固定する。
【０１３９】
後側従動軸８０４は、アルミ合金等の金属を棒状に形成したものである。
【０１４０】
後側従動軸８０４は、前側から順に大径部８３５、細径部８３６を有している。
【０１４１】
大径部８３５の前端面には、四角柱形状部８３４が挿入される四角孔８３７が形成されている。
【０１４２】
四角孔８３７は、その内周形状が四角柱形状部８３４の外周形状と一致して形成されている。このような構造により、前側従動軸８０３は、後側従動軸８０４に対して前後にスライド可能であり、前後の従動軸８０３、８０４は、前後方向の中心軸を回転軸として連動して回転するようになっている。
【０１４３】
後側従動軸８０４の細径部８３６の後方は、フランジ部３７１に形成された貫通孔３７４に挿入されフランジ部３７１の後方に突出し、細径部６４１の先端には、カム板３０９がネジ３７５によりネジ止め固定されている。
【０１４４】
また、細径部８３６には、フランジ部３７１の前後位置に係止金具８４１、８４２が取り付けられている。後側従動軸８０４は、係止金具８４１、８４２によりフランジ部３７１に対する前後位置が一定に保たれている。以下、カム板３０９のネジ止め構造を詳細に説明する。
【０１４５】
カム板３０９には、その板面を貫通する楕円形状の嵌合孔４３３が形成されている。細径部８３６の先端には、段部８３８を介して嵌合凸部８３９が形成されている。嵌合凸部８３９は、外周形状が嵌合孔４３３の楕円形状と一致するように成され、カム板３０９の嵌合孔４３３に挿入して嵌合する。細径部８３６は、嵌合凸部８３９の端面から細径部８３６の回転軸に沿ってネジ孔８４０が形成されている。ネジ孔８４０には、ネジ３７５のネジ部３７５ａが螺入する。ネジ３７５のネジ頭３７５ｂは、嵌合孔４３３よりも大径に形成されている。
【０１４６】
嵌合凸部８３９とカム板３０９の嵌合孔４３３を嵌合し、ネジ孔８４０にネジ３７５のネジ部３７５ａを螺入してネジ３７５を締め付けた状態では、カム板３０９が段部８３８とネジ頭３７５ｂに挟まれて細径部８３６に固定された状態となる。嵌合凸部８３９の外周形状と嵌合孔４３３の内周形状は楕円形状に形成されているので、カム板３０９が細径部８３６に対して回転することはない。
【０１４７】
ソレノイド９５は、円筒部６３１の筒内に挿入され、ネジ８５１によりネジ止め固定される。ソレノイド９５は、後側クラッチディスク８０２の軸部８２２と前側従動軸８０３の境界の接続部及びその前後の周りに配置している。円筒部６３１の筒内におけるソレノイド９５の後方には、リング状部材８０５がネジ８５２によりネジ止め固定される。リング状部材８０５の中心の貫通孔８５３には、従動軸８０３の円柱形状部８３２が挿入されている。この構造により、リング状部材８０５は、従動軸８０３の軸受けを行っている。
【０１４８】
また、前側従動軸８０３のフランジ部８３３とリング状部材８０５との間には、コイルバネ８０６が介挿されている。コイルバネ８０６は、前側従動軸８０３のフランジ部８３３を後方、即ち後側従動軸８０４側に付勢している。
【０１４９】
一方、円筒部６３１には、貫通孔８６０が形成されている。ハーネス８６１は、一端側が指紋認識識別回路９４（図２及び図１６参照）に接続し、他端側のコネクタ８６２が貫通孔８６０を介してソレノイド９５に電気的に接続している。
【０１５０】
また、前扉用シリンダ錠７８は、回動規制部材としての複数の前側タンブラーピン６５１、６５２…、複数の摺動部材６６１、６６２…、複数の後側タンブラーピン６７１、６７２…、複数のコイルバネ６８１、６８２…を有している。
【０１５１】
固定部材６３２は、後面から前方に向けて複数の回動規制部材挿入穴６９１、６９２…が形成されている。複数の回動規制部材挿入穴６９１、６９２…は、それぞれ複数のコイルバネ６８１、６８２…が奥方に挿入され、複数のコイルバネ６８１、６８２…の先にそれぞれ後側タンブラーピン６７１、６７２…が挿入されている。
【０１５２】
前扉用シリンダ錠ロータ６１２の大径部６４３は、後面から前方に向けて複数の回動規制部材挿通孔７０１、７０２…が形成されている。複数の回動規制部材挿通孔７０１、７０２…には、それぞれ後側タンブラーピン６５１、６５２…が挿入されている。
【０１５３】
複数の摺動部材６６１、６６２…は、球状に形成され、それぞれ複数の前側タンブラーピン６５１、６５２…と複数の後側タンブラーピン６７１、６７２…前側タンブラーピンとの間に介挿され、複数の回動規制部材挿入穴６９１、６９２…と複数の回動規制部材挿通孔７０１、７０２…との間を移動可能になっている。
【０１５４】
固定部材６３２の複数の回動規制部材挿入穴６９１、６９２…と前扉用シリンダ錠ロータ６１２の大径部６４３の複数の回動規制部材挿通孔７０１、７０２…の位置が重なった状態において、鍵穴７９に前扉キー６００が差し込まれていない状態または適合しない前扉キーが鍵穴７９に差し込まれた状態では、大径部６４３と固定部材６３２の当接面が前側タンブラーピン６５１、６５２…、複数の摺動部材６６１、６６２…、複数の後側タンブラーピン６７１、６７２…の当接面と合致せず、前扉用シリンダ錠ロータ６１２は前扉用シリンダ錠本体６１１の筒内での係止固定状態となる。
【０１５５】
鍵穴７９に正規の前扉キー６００が差し込まれ、前扉キー６００の嵌合部６０２に嵌合する前扉用シリンダ錠ロータ６１２の嵌合部６３０が嵌合した場合、複数の前側タンブラーピン６５１、６５２…はそれぞれ溝部６０４、６０５…に係止して後方に押し込まれ、大径部６４３と固定部材６３２の当接面が、前側タンブラーピン６５１、６５２…、複数の摺動部材６６１、６６２…、複数の後側タンブラーピン６７１、６７２…の当接面のいずれかと合致し、前扉用シリンダ錠ロータ６１２は、前扉用シリンダ錠本体６１１の筒内での係止固定状態を解除され、前扉キー６００とともに前記筒内で右回り及び左回りの両方向に回動可能となる。
【０１５６】
次に、生体認識開錠システム９００について説明する。
【０１５７】
図１６において、生体認識開錠システム９００は、サブ制御基板４０と、液晶表示装置４９と、指紋センサ９０と、登録開始釦９１と、登録釦９２と、リセット釦９３と、指紋認識識別回路９４と、ソレノイド９５とから構成されている。
【０１５８】
指紋認識識別回路９４は、指紋センサ９０の検出出力から指紋の認識及び識別を行うとともに液晶表示装置４９に表示する画像を選択するＣＰＵ９０１、ソレノイド駆動回路９０２、記憶部９０３から構成されている。
【０１５９】
指紋認識識別回路９４のＣＰＵ９０１には、サブ制御基板４０、指紋センサ９０、登録開始釦９１、登録釦９２、リセット釦９３、ソレノイド駆動回路９０２、記憶部９０３が接続されている。
【０１６０】
指紋センサ９０は、例えば指紋照合接触発光素子式センサを用いており、作業者の指紋のパターンを検出することで作業者個人を認識するための指紋パターンデータを生成してＣＰＵ９０１に供給する。
【０１６１】
登録開始釦９１は、作業者が本人の指紋を登録する作業を開始する場合に操作する釦であり、作業者が前扉３の裏側から押圧操作することでオンし、この場合のオン信号をＣＰＵ９０１に供給する。
【０１６２】
登録釦９２は、指紋センサ９０により検出された指紋の指紋パターンデータを作業者が適切と判断して登録する場合に操作する釦であり、作業者が前扉３の裏側から押圧操作することでオンし、この場合のオン信号をＣＰＵ９０１に供給する。
【０１６３】
リセット釦９３は、作業者が指紋認識識別回路９４に登録されている指紋パターンデータを抹消する場合に操作する釦であり、作業者が前扉３の裏側から押圧操作することでオンし、この場合のオン信号をＣＰＵ９０１に供給する。
【０１６４】
記憶部９０３は、指紋認識識別回路９４の制御を行うための制御プログラム及び液晶表示装置４９に表示する画像のデータを格納するＲＯＭ９０４と、指紋パターンデータを記憶するＲＡＭ９０５とから構成される。
【０１６５】
ＣＰＵ９０１は、記憶部９０３のＲＯＭ９０４に格納された制御プログラム、指紋センサ９０からの指紋パターンデータ、登録開始釦９１、登録釦９２及びリセット釦９３からのオン信号に基づいて必要なデータをＲＡＭ９０５に記憶し、ソレノイド駆動回路９０２とサブ制御基板４０の制御を行う。ソレノイド駆動回路９０２は、ＣＰＵ９０１の制御に基づいて、ソレノイド９５に電流を流す。
【０１６６】
以下、生体認識開錠システム９００の動作について説明する。
【０１６７】
まず生体認識開錠システム９００に作業者個人の指紋の登録を行う場合について説明する。
【０１６８】
この場合、まず作業者は、筐体２（図１参照）から前扉３が（図１参照）開いた状態で、前扉３の裏側から登録開始釦９１を押圧操作する。
【０１６９】
ＣＰＵ９０１は、指紋センサ９０からの指紋パターンデータの入力待ち状態となり、ＲＯＭ９０４から画像データを読み出してサブ制御基板４０に供給することで、指紋センサに指を当てることを催促する画像を液晶表示装置４９に表示する。
【０１７０】
この状態で作業者が指紋センサ９０に指を当てると、指紋センサ９０は作業者の指紋のパターンを検出し、指紋パターンデータを生成してＣＰＵ９０１に供給する。ＣＰＵ９０１は、内部メモリに指紋パターンデータを一旦記憶し、指紋パターンデータを画像データに変換してサブ制御基板４０に供給することで、作業者の指紋のパターンを示す画像を液晶表示装置４９の画面に表示する。次に、作業者は、液晶表示装置４９の画面に表示された指紋のパターンの画像を見ることで、自分の指紋が正しく指紋センサ９０に読みとられたか否かを確認し、指紋が正しく読みとられていると判断した場合、登録釦９２を押し、指紋が正しく読みとられていないと判断した場合、リセット釦９３を押す。作業者が登録釦９２を押すと、ＣＰＵ９０１は、現時点で記憶部９０３のＲＡＭ９０５に記憶されている指紋パターンデータを消去し、当該ＣＰＵ９０１の内部メモリに一旦記憶した指紋パターンデータを記憶部９０３のＲＡＭ９０５に書き込む。ＣＰＵ９０１は、現時点で記憶部９０３のＲＡＭ９０５に指紋パターンデータが記憶されていない場合、ＣＰＵ９０１は、そのまま内部メモリに一旦記憶した指紋パターンデータを記憶部９０３のＲＡＭ９０５に書き込む。これにより、生体認識開錠システム９００には作業者個人の指紋が登録される。
【０１７１】
一方、作業者がリセット釦９３を押した場合、ＣＰＵ９０１は、現時点で記憶部９０３のＲＡＭ９０５に記憶している指紋パターンデータ消去するとともに、内部メモリに一旦記憶した指紋パターンデータを消去する。
【０１７２】
次に、生体認識開錠システム９００がシリンダ錠７８の解錠を許可する以前の状態について説明する。
【０１７３】
ＣＰＵ９０１は、シリンダ錠７８の解錠を許可していない状態では、ソレノイド駆動回路９０２をオフ制御し、ソレノイド９５に電流が流れない状態にする。これにより、図１４に示すように、前側従動軸８０３は、コイルバネ８０６の付勢力で後側従動軸８０４側に押し付けられ、前後のクラッチディスク８０１、８０２のクラッチ歯８１１、８２１が離れた状態となり、前扉用シリンダ錠ロータ６１２が回転しても、後側クラッチディスク８０２、前後の従動軸８０３、８０４及びカム板３０９は回転せず、生体認識開錠システム９００によりシリンダ錠７８の開錠が許可されていない状態になる。
【０１７４】
次に、筐体２（図１参照）に対して前扉３（図１参照）が閉塞し、シリンダ錠７８により施錠が行われた状態から、生体認識開錠システム９００が指紋の識別を行いシリンダ錠７８の解錠を許可し、筐体２の前扉３を開くまでの動作について説明する。
【０１７５】
この場合、まず作業者は、指紋センサ９０に指を当てる。すると指紋センサ９０は、読みとった指紋パターンデータをＣＰＵ９０１に供給し、ＣＰＵ９０１は、記憶部９０３のＲＡＭ９０５に記憶している指紋パターンデータと指紋センサ９０からの指紋パターンデータを照合し、両指紋パターンデータが同じまたは所定レベル以上の類似性を有する場合に、指紋を登録した作業者個人であると認識し、シリンダ錠７８の解錠を２０秒間許可する。
【０１７６】
ＣＰＵ９０１は、シリンダ錠７８の解錠を許可した状態では、ソレノイド駆動回路９０２を制御し、ソレノイド９５に電流を流する。これにより、ソレノイド９５は、従動軸８０３の円柱形状部８３２を前方に吸引し、図１７に示すように、後側従動軸８０４の四角孔８３７から前側従動軸８０３の四角柱形状部８３４が所定距離前方に移動し、前後のクラッチディスク８０１、８０２のクラッチ歯８１１、８２１が噛み合い、前後のクラッチディスク８０１、８０２が連結して、前扉用シリンダ錠ロータ６１２がカム板３０９と連結する。これにより、生体認識開錠システム９００によりシリンダ錠７８の開錠が許可された状態になる。
【０１７７】
そして生体認識開錠システム９００によりシリンダ錠７８の開錠が許可された状態から２０秒間内において、前扉用シリンダ錠７８は、鍵穴７９に正規の前扉キー６００が差し込まれ、回動操作されることで、前扉用シリンダ錠ロータ６１２、前後のクラッチディスク８０１、８０２、前後の従動軸８０３、８０４及びカム板３０９が回動することになる。
【０１７８】
以下、前扉キー６００の回動操作による施錠装置ユニット３００の動作について説明する。
【０１７９】
前扉用シリンダ錠７８が施錠状態にある場合には、図９乃至図１２に示すように、本体フレーム３０１に対して連結杆３０２はスライド可能な範囲において最も下側の位置にあり、連結杆３０２に対してダンパー板３０６の上側が最も前方となる位置にあり、本体フレーム３０１に対して作動杆３０５はスライド可能な範囲において最も上側の位置にあり、フォトセンサ３１１の発光部３４７（図１１参照）と受光部３４８（図１１参照）の間から遮光片４５８が離れた状態にある。
【０１８０】
生体認識開錠システム９００によりシリンダ錠７８の開錠が許可された状態から２０秒以内に、鍵穴７９に差し込こんだ前扉キー６００を右回りに回動させた場合には、図１８に示すように、施錠装置ユニット３００の後ろ側において、カム板３０９の右回りに回動し、カム板３０９の第２突部４３２が連結杆３０２の係合孔４２４を押し上げ、本体フレーム３０１に対して連結杆３０２を上方にスライドさせ、図１８及び図１９に示すように、係止爪３８４、４１４が下がる方向に可動フック３０３、３０４を回動させ、固定板２６、２７（図２参照）に対する可動フック３０３、３０４の係止を解除する。これにより、筐体２に対して前扉３を開くことが可能になる。
【０１８１】
前扉キー６００を右回りに回動させた後、前扉キー６００に力を加えるのをやめると、コイルバネ３０７の付勢力により、本体フレーム３０１に対して連結杆３０２が下方にスライドし、施錠装置ユニット３００は図９及び図１２に示す施錠状態に戻る。
【０１８２】
鍵穴７９に差し込こんだ前扉キー６００を左回りに回動させた場合には、施錠装置ユニット３００の後ろ側において、カム板３０９の左回りに回動し、カム板３０９の第１突部４３１が、連結杆３０２の逃がし孔４２３に挿入した状態で、ダンパー板３０６のカム形状４４１（図７参照）を摺動し、図２０に示すように、ダンパー板３０６の上側が後方に突出する方向にするダンパー板３０６を回動させるとともに、作動杆３０５の係合孔４５６を押し下げ、本体フレーム３０１に対して作動杆３０５を下方にスライドさせ、図２１に示すように、フォトセンサ３１１の発光部３４７と受光部３４８の間に遮光片４５８を挿入して、フォトセンサ３１１を作動させ、図２に示した主制御基板２０にスロットマシン１のゲーム状態のリセットを行わせる。
【０１８３】
図２０に示すように前扉キー６００を左回りに回動させた後、前扉キー６００に力を加えるのをやめると、コイルバネ３０７の付勢力により、本体フレーム３０１に対して作動杆３０５が上方にスライドし、コイルバネ３０８の付勢力により、ダンパー板３０６の上側が前方に移動する方向にするダンパー板３０６が回動して、施錠装置ユニット３００は図９及び図１２に示す施錠状態に戻る。
【０１８４】
尚、生体認識開錠システム９００によりシリンダ錠７８の開錠が許可された状態から前扉キー６００を回動させず２０秒経過した場合、生体認識開錠システム９００によりシリンダ錠７８は図１４に示す状態になり、施錠装置ユニット３００は図９及び図１２に示す施錠状態を維持する。
【０１８５】
次に、不正行為を行う者が、偽造された前扉キーを用いて筐体２に対して前扉３を開こうとする場合の動作を説明する。
【０１８６】
この場合、まず不正行為を行う者は、図１６に示す指紋センサ９０に指を当てる。すると指紋センサ９０は、読みとった指紋パターンデータをＣＰＵ９０１に供給し、ＣＰＵ９０１は、記憶部９０３のＲＡＭ９０５に記憶している指紋パターンデータと指紋センサ９０からの指紋パターンデータを照合する。この場合、ＣＰＵ９０１は、両指紋パターンデータが類似性が所定レベルを下回ることになので、指紋センサ９０に指を当てた者が登録した作業者個人でないと認識し、シリンダ錠７８の解錠を許可せず、図１４の状態を維持する。このため、前扉用シリンダ錠７８は、鍵穴７９に偽造された前扉キーや不正器具が差し込まれ、回動操作されることで、前扉用シリンダ錠ロータ６１２及び前側クラッチディスク８０１は回動するが、後側クラッチディスク８０２、前後の従動軸８０３、８０４及びカム板３０９は施錠位置のまま回動せず、施錠装置ユニット３００は図９及び図１２に示す施錠状態を維持し、筐体２に対して前扉３を開くことはできない。
【０１８７】
以上に説明した構成及び動作により、筐体２は、前方に開口８を有する。
【０１８８】
前扉３は、前記筐体２に対して回動可能に取り付けられることで前記開口８を開閉可能な状態で閉塞させる。
【０１８９】
ＣＰＵ２００、入賞抽選テーブル２０３及び乱数発生装置２０５は、所定の第１の遊技操作を契機に乱数値を取得し、取得した当該乱数値に基づいて入賞役を抽選する抽選手段となっている。    
前記第１の遊技操作は、レバー７５のオン操作のことである。
【０１９０】
ＣＰＵ２００及びホッパ装置２１は、前記抽選手段が抽選した入賞役及び所定の第２の遊技操作に基づいて、遊技媒体を前記前扉３の内側から外側に向けて払い出す遊技媒体払い出し手段となっている。
【０１９１】
前記第２の遊技操作は、ストップボタン７６ａ、７６ｂ、７６ｃのオン操作のことである。
【０１９２】
前扉用シリンダ錠本体６１１は、筒状に形成され、前記前扉３に設けられている。
【０１９３】
前扉用シリンダ錠ロータ６１２は、前扉キー６００と嵌合する前扉キー嵌合部６３０を有し、前記前扉用シリンダ錠本体６１１の筒内に挿入され、当該筒内で係止固定状態及び回転可能な状態の何れか一方の状態にあり、前記前扉キー嵌合部６３０が前記前扉キー６００と嵌合することで前記筒内での係止固定状態を解除する。
【０１９４】
前後の従動軸８０３、８０４は、前記前扉３の内側で前記前扉用シリンダ錠ロータ６１２と機械的に断続可能に配設され、前記前扉用シリンダ錠ロータ６１２と接続した状態で前記前扉用シリンダ錠ロータ６１２と連動して回動する。
【０１９５】
カム板３０９は、後側従動軸８０４に固定して取り付けられている。
【０１９６】
前扉ロック機構部３１０は、前記前扉３を前記筐体２に固定するとともに前記カム板３０９の回動に連動して当該固定の解除を行う。
【０１９７】
ＣＰＵ９０１、記憶部９０３、指紋センサ９０、登録開始釦９１、登録釦９２及びリセット釦９３は、人間の生体的な特徴を使って作業者個人を認識する生体認識手段となっている。
【０１９８】
ソレノイド駆動回路９０２、ソレノイド９５及び前後のクラッチディスク８０１、８０２は、前記生体認識手段の認識結果に対応して前記前扉用シリンダ錠ロータ６１２と前側従動軸８０３との間の断続を行う断続手段となっている。
【０１９９】
以上説明したように、本実施形態のスロットマシン１によれば、ＣＰＵ９０１、記憶部９０３及び指紋センサ９０が人間の生体的な特徴である指紋のパターンデータを使って作業者個人を認識し、ソレノイド駆動回路９０２、ソレノイド９５及び前後のクラッチディスク８０１、８０２が作業者個人を認識果に対応して前記前扉用シリンダ錠ロータ６１２と前側従動軸８０３との間の断続を行うので、前扉３が不正に開放されるのを防止できので、遊技媒体の盗難を防止できるとともに、入賞役の当選確率の設定表示や設定変更が不正に行われることを防止できる。
【０２００】
尚、図１乃至図２１に示した実施形態では、生体認識手段が認識する人間の生体的な特徴として指紋を用いたが、生体認識手段が認識する生体的な特徴としては、音声、静脈のパターン、顔の形等各種適用可能である。
【産業上の利用可能性】
【０２０１】
本発明は、スロットマシンに限らず、パチンコ機、メダルを使用するアレンジボール等の他の遊技機に応用することができる。
【図面の簡単な説明】
【０２０２】
【図１】図１は、本発明の一実施形態によるスロットマシンの外観構造を表した斜視図である。
【図２】図２は、本発明の一実施形態によるスロットマシンの内部構造を表した図である。
【図３】図３は、本発明の一実施形態によるスロットマシンの制御システムを表したブロック図である。
【図４】図４は、本発明の一実施形態による施錠装置ユニットの分解斜視図である。
【図５】図５は、本発明の一実施形態による施錠装置ユニットの組み立てた状態の背面側から見た斜視図である。
【図６】図６は、本発明の一実施形態による施錠装置ユニットの組み立てた状態の正面側から見た斜視図である。
【図７】図７は、本発明の一実施形態による施錠装置ユニットの前扉用シリンダ錠及びその周辺部を示す分解斜視図である。
【図８】図８は、本発明の一実施形態による施錠装置ユニットの可動フック及びその周辺部を示す分解斜視図である。
【図９】図９は、本発明の一実施形態による施錠装置ユニットの前扉用シリンダ錠及びその周辺部の組み立てた状態の背面側から見た斜視図である。
【図１０】図１０は、本発明の一実施形態による施錠装置ユニットの前扉用シリンダ錠及びその周辺部の組み立てた状態の正面側から見た斜視図である。
【図１１】図１１は、本発明の一実施形態による施錠装置ユニットの前扉用シリンダ錠７８及びその周辺部の組み立てた状態の左側から見た側面図である。
【図１２】図１２は、本発明の一実施形態による施錠装置ユニットの可動フック及びその周辺部の組み立てた状態の背面側から見た斜視図である。
【図１３】図１３は、本発明の一実施形態による前扉キーの斜視図である。
【図１４】図１４は、本発明の一実施形態による前扉用シリンダ錠の断面図である。
【図１５】図１５は、本発明の一実施形態による前後のクラッチディスク及びその周辺部を示す斜視図である。
【図１６】図１６は、本発明の一実施形態による生体認識開錠システムを示すブロック図ある。
【図１７】図１７は、本発明の一実施形態による前扉用シリンダ錠が開錠操作可能になった状態を示す断面図ある。
【図１８】図１８は、本発明の一実施形態による施錠装置ユニットの前扉用シリンダ錠及びその周辺部の施錠を解除する操作が行われた状態の斜視図ある。
【図１９】図１９は、本発明の一実施形態による施錠装置ユニットの可動フック及びその周辺部の施錠を解除する操作が行われた状態の斜視図ある。
【図２０】図２０は、本発明の一実施形態による施錠装置ユニットの可動フック及びその周辺部のリセット操作が行われた状態の背面側から見た斜視図ある。
【図２１】図２１は、本発明の一実施形態による施錠装置ユニットの可動フック及びその周辺部のリセット操作が行われた状態の正面側から見た斜視図である。
【符号の説明】
【０２０３】
１…スロットマシン、２…筐体、３…前扉、４…上部パネル部、
５…下部パネル部、６…メダル受皿部、６ａ…メダル受皿、
７…操作卓、８…開口、９…壁面、１０…貫通孔、２０…主制御基板、
２１…ホッパ装置、２２…補助貯留部、２３…主電源装置、
２４…電源装置基板、２５…外部集中端子基板、２６、２７…固定板、
２８…水平面部、３０、３１ａ、３１ｂ…発光駆動部、
３２ａ、３２ｂ、３８ａ、３８ｂ…スピーカ、３３…中央表示基板、
３４…メダル選別装置、３４ａ…メダルセンサ、３５…ガイド部材、
３６…ガイド部材、３７…ガイド部材、３８ａ、３８ｂ…スピーカ、
４０…サブ制御基板、４１…パネル面、４２…表示窓、
４３…遊技状態表示部、４４…操作アシスト表示部、
４５…数値情報表示部、４６、４７ａ、４７ｂ…演出用照明部、
４８ａ、４８ｂ、６２ａ、６２ｂ…演出用放音部、
４９…液晶表示装置、４９ａ…表示窓、５０…パネル板、
５１…表示パネル、５２ａ、５２ｂ…左右の演出用照明部、
６１…メダル払出口、６２ａ、６２ｂ…演出用放音部、
７１…メダル投入部、７２…メダル投入口、
７３、７４…ベットボタン、７５…スタートレバー、
７６ａ、７６ｂ、７６ｃ…ストップボタン、７７…精算ボタン、
７８…前扉用シリンダ錠、７９…鍵穴、８１…電源スイッチ、
８２…リセット釦、８３…設定錠、８４…扉、
８５…前扉開放検出スイッチ、８６…設定変更釦、
８７…透明カバー、８８…設定キー動作検出スイッチ、
９０…指紋センサ、９１…登録開始釦、９２…登録釦、
９３…リセット釦、９４…指紋認識識別回路、
９５…ソレノイド、１００…リールユニット、
１０１ａ、１０１ｂ、１０１ｃ…リール、
１１０ａ、１１０ｂ、１１０ｃ…ステッピングモータ、
１３０…回胴装置基板、２００…ＣＰＵ、２０１…記憶部、
２０２…システムプログラム、２０３…メダルクレジット手段、
２０４…入賞抽選テーブル、２０５…内部抽選フラグ、
２０６…乱数発生装置、２２０…基板ケース、
３００…施錠装置ユニット、３０１…本体フレーム、
３０２…連結杆、３０３、３０４…可動フック、３０５…作動杆、
３０６…ダンパー板、３０７、３０８…コイルバネ、３０９…カム板、
３１０…前扉ロック機構部、３１１…フォトセンサ、３１２…ローラ、
３１４、３１５…ネジ、３２１…取付板部、３２２…幅広部、
３２３…ネジ挿通孔、３２４…錠取付孔、３２５、３２６…ネジ孔、
３３０…支持板部、３３１、３４１、３５１…支持板部、
３３２…リベット孔、３３４…膨出部、３４２…張り出し部、
３４３…逃げ孔、３４４…膨出部、３４５…リベット孔、
３４６…スリット、３４７…発光部、３４８…受光部、
３５２、３５３…リベット孔、３５４…逃がし孔、
３６１…補強片、３７１…フランジ部、３７２、３７３…ネジ挿通孔、
３７４…貫通孔、３７５…ネジ、３７５ａ…ネジ部、
３７５ｂ…ネジ頭、３８１…基端部、３８２…リベット挿通孔、
３８３…リベット孔、３８４…係止爪、３９１…リベット挿通孔、
３９２…リベット挿通孔、３９３…段部、３９４…垂直板部、
３９５…傾斜板部、３９６…垂直板部、３９７…傾斜板部、
３９８…垂直板部、４００…数値情報表示部、４１１…基端部、
４１２…リベット挿通孔、４１３…リベット孔、４１４…係止爪、
４２０…リベット挿通孔、４２１…フック、４２２…スリット、
４２４…係合孔、４２５…スリット、４２６…リベット孔、
４２７…段部、４２８…切欠き、４２９…フック、
４３１…第１突部、４３２…第２突部、４３３…嵌合孔、
４４１…カム形状、４４２…リベット挿通孔、４４３…貫通部、
４４４…フック、４４５…切り欠き部、４５１…垂直板部、
４５２…傾斜板部、４５３…垂直板部、４５４…スリット、
４５５…フック、４５６…係合孔、４５７…摺動部、４５８…遮光片、
５０１、５０２、５０３、５０４、５０５、５０６、５０７…リベット、６００…前扉キー、６０１…軸部、６０２…嵌合部、６０３…摘み、
６０４、６０５…溝部、６１１…前扉用シリンダ錠本体、
６１２…前扉用シリンダ錠ロータ、６３０…前扉キー嵌合部、
６３１…円筒部、６３２…固定部材、６３３…ケース、
６４１…細径部、６４２…中径部、６４３…大径部、６４４…貫通孔、
６４５…段部、６４６…前面、６５１、６５２…前側タンブラーピン、
６６１、６６２…摺動部材、６７１、６７２…後側タンブラーピン、
６８１、６８２…複数のコイルバネ、
６９１、６９２…回動規制部材挿入穴、
７０１、７０２…回動規制部材挿通孔、
８００…クラッチ機構、８０１、８０２…クラッチディスク、
８０３、８０４…従動軸、８０５…リング状部材、
８０６…コイルバネ、８１１…クラッチ歯、８１２…ネジ挿通孔、
８１３…ネジ孔、８１４…ネジ、８２１…クラッチ歯、
８２２…軸部、８２３…ネジ孔、８３１…雄ネジ部、
８３２…円柱形状部、８３３…フランジ部、８３４…四角柱形状部、
８３５…大径部、８３６…細径部、８３７…四角孔、８３８…段部、
８３９…嵌合凸部、８４０…ネジ孔、８４１、８４２…係止金具、
８５１、８５２…ネジ、８５３…貫通孔、８６０…貫通孔、
８６１…ハーネス、８６２…コネクタ、９００…生体認識開錠システム、
９０１…ＣＰＵ、９０２…ソレノイド駆動回路、９０３…記憶部、
９０４…ＲＯＭ、９０５…ＲＡＭ
【図１】
2008142127.tif 000003
【図２】
2008142127.tif 000004
【図３】
2008142127.tif 000005
【図４】
2008142127.tif 000006
【図５】
2008142127.tif 000007
【図６】
2008142127.tif 000008
【図７】
2008142127.tif 000009
【図８】
2008142127.tif 000010
【図９】
2008142127.tif 000011
【図１０】
2008142127.tif 000012
【図１１】
2008142127.tif 000013
【図１２】
2008142127.tif 000014
【図１３】
2008142127.tif 000015
【図１４】
2008142127.tif 000016
【図１５】
2008142127.tif 000017
【図１６】
2008142127.tif 000018
【図１７】
2008142127.tif 000019
【図１８】
2008142127.tif 000020
【図１９】
2008142127.tif 000021
【図２０】
2008142127.tif 000022
【図２１】
2008142127.tif 000023